(57)【特許請求の範囲】
【請求項１】
炊飯器本体と、前記炊飯器本体の上方に位置する蓋体とを有する非加圧炊飯と低加圧炊飯と高加圧炊飯が可能な圧力式炊飯器であって、
前記炊飯器本体は、内鍋と、前記内鍋を加熱する加熱手段とを有し、
前記蓋体は、第１圧力調整装置及び第２圧力調整装置を有し、
前記第１圧力調整装置は、第１通気孔を開閉する球状の第１弁体を有し、
前記第２圧力調整装置は、第２通気孔を開閉する球状の第２弁体を有し、
前記第１弁体は、水平方向に押圧されることにより前記第１通気孔を開閉し、
前記第２弁体は、回動部材を介して垂直方向に押圧されることにより前記第２通気孔に対する閉鎖力を高め安全弁として機能し、
前記非加圧炊飯時、前記第１弁体は前記第１通気孔を開放し、前記第２弁体は押圧されない状態で前記第２通気孔を閉鎖し、
前記低加圧炊飯時、前記第１弁体は前記第１通気孔を閉鎖し、前記第２弁体は押圧されない状態で前記第２通気孔を閉鎖し、
前記高加圧炊飯時、前記第１弁体は前記第１通気孔を閉鎖し、前記第２弁体は押圧される状態で前記第２通気孔を閉鎖することを特徴とする圧力式炊飯器。  
【請求項２】
炊飯器本体と、前記炊飯器本体の上方に位置する蓋体とを有する圧力式炊飯器であって、
前記炊飯器本体は、内鍋と、前記内鍋を加熱する加熱手段とを有し、
前記蓋体は、第１圧力調整装置及び第２圧力調整装置を有し、
前記第１圧力調整装置は、第１通気孔を開閉する球状の第１弁体を有し、
前記第２圧力調整装置は、第２通気孔を開閉する球状の第２弁体と、プランジャーと、弾性部材と、前記第２弁体を垂直方向に押圧する回動部材を有し、
前記プランジャーと前記回動部材とは前記弾性部材を介して連動し、
前記第１弁体は、水平方向に押圧されることにより前記第１通気孔を開閉し、
前記第２弁体は、前記プランジャーの非動作時には自重のみで前記第２通気孔を閉鎖し、前記プランジャーの動作時には前記回動部材を介して垂直方向に押圧されることにより前記第２通気孔に対する閉鎖力を高め安全弁として機能し、
内部圧力の異常時、前記弾性部材は変形することにより前記回動部材の前記閉鎖力を低める方向への回動を許容することを特徴とする圧力式炊飯器。
【発明の詳細な説明】
【技術分野】
【０００１】
本発明は、特に複数の調圧弁を有し、多段階に調圧可能な圧力式炊飯器に関するものである。
【背景技術】
【０００２】
一般に炊飯器は、ワークコイル、保温ヒータ及び蓋ヒータ等の複数個の加熱手段を有し、これら加熱手段を駆使して自動的に炊飯及び保温を行いユーザーに最適なご飯等を提供する器具として広く知られている。
【０００３】
ところで、炊飯の各工程時に内鍋内を加圧状態にして炊飯を行うと、米内への熱伝導と吸水速度が早まり、その結果十分な吸水が行われ、炊きムラのないより美味しいご飯を短時間で炊き上げることができるようになる。そのような要望に応える圧力式炊飯器も既に知られている。
【０００４】
ところで、圧力式炊飯器に２つの調圧弁を設け、多段階に調圧を行うものとして後記特許文献１のものが知られている。この従来のものは、第１調圧弁を、第１ソレノイド及び第１弁である球状弁から構成して、球状弁を第１ソレノイドにより水平方向に移動して第１開口を開閉するようにし、第２調圧弁を、第２ソレノイド及び第２弁であるポペット状の弁から構成するとともに、水平方向に移動可能な押圧部材５５、カム部材である傾斜部を有する台形突出部５６、垂直方向に移動可能な垂直押圧部材５７、スプリング受部９３、軸部８５及び弁パッキン９０の６種類の部品を介在させ、弁パッキン９０を第２ソレノイドにより垂直方向に移動して第２開口を、締切圧が低い状態と、高い状態に切替可能にしている。
【０００５】
そして、第１開口が開で第２開口が低締切圧の非加圧炊飯と、第１開口が閉で第２開口が低締切圧の低加圧炊飯と、第１開口が閉で第２開口が高締切圧の高加圧炊飯の３炊飯機能を有し、必要な炊飯機能を選択して炊飯が行われる。
【０００６】
ところで、上記従来のものは、第２調圧弁としてポペット状のものを用いているため、上記したように６種類の部品が必要になり、それだけ構造が複雑になるとともに、コストが嵩む。
【０００７】
また、圧力式炊飯器には、安全弁が必要になるが、上記従来のものは、高加圧状態時、第１弁と第２弁とをともに調圧弁として用いるものである（段落００５２参照）ため、別途、安全弁が必要になり、安全弁を設けるとそれだけ費用が嵩むことになる。
【０００８】
更に、上記従来のものの第２ソレノイドからポペット状の第２弁への力の伝達は、カム部材である傾斜部を有する台形突出部５６と、垂直方向に移動可能な垂直押圧部材５７との係合により行われることになるため、どうしても垂直押圧部材５７の先端は左右方向に揺動するようになり、力の伝達が滑らかに行われ難くなる。
【先行技術文献】
【特許文献】
【０００９】
【特許文献１】特許第４３５０６８０号公報
【発明の概要】
【発明が解決しようとする課題】
【００１０】
本発明の目的は、複数の調圧装置の一部を回動部材により調圧し、更に安全弁としての機能を持たせることにより、調圧装置の構造を簡略化し、力の伝達を滑らかにし、且つコストを低減する炊飯器を提供することである。
【課題を解決するための手段】
【００１１】
前記目的を達成するため、本発明は以下の構成を採用する。
【００１２】
請求項１に係る発明では、炊飯器本体と、前記炊飯器本体の上方に位置する蓋体とを有する非加圧炊飯と低加圧炊飯と高加圧炊飯が可能な圧力式炊飯器であって、前記炊飯器本体は、内鍋と、前記内鍋を加熱する加熱手段とを有し、前記蓋体は、第１圧力調整装置及び第２圧力調整装置を有し、前記第１圧力調整装置は、第１通気孔を開閉する球状の第１弁体を有し、前記第２圧力調整装置は、第２通気孔を開閉する球状の第２弁体を有し、前記第１弁体は、水平方向に押圧されることにより前記第１通気孔を開閉し、前記第２弁体は、回動部材を介して垂直方向に押圧されることにより前記第２通気孔に対する閉鎖力を高め安全弁として機能し、前記非加圧炊飯時、前記第１弁体は前記第１通気孔を開放し、前記第２弁体は押圧されない状態で前記第２通気孔を閉鎖し、前記低加圧炊飯時、前記第１弁体は前記第１通気孔を閉鎖し、前記第２弁体は押圧されない状態で前記第２通気孔を閉鎖し、前記高加圧炊飯時、前記第１弁体は前記第１通気孔を閉鎖し、前記第２弁体は押圧される状態で前記第２通気孔を閉鎖する構成。
【００１３】
請求項２に係る発明では、炊飯器本体と、前記炊飯器本体の上方に位置する蓋体とを有する圧力式炊飯器であって、前記炊飯器本体は、内鍋と、前記内鍋を加熱する加熱手段とを有し、前記蓋体は、第１圧力調整装置及び第２圧力調整装置を有し、前記第１圧力調整装置は、第１通気孔を開閉する球状の第１弁体を有し、前記第２圧力調整装置は、第２通気孔を開閉する球状の第２弁体と、プランジャーと、弾性部材と、前記第２弁体を垂直方向に押圧する回動部材を有し、前記プランジャーと前記回動部材とは前記弾性部材を介して連動し、前記第１弁体は、水平方向に押圧されることにより前記第１通気孔を開閉し、前記第２弁体は、前記プランジャーの非動作時には自重のみで前記第２通気孔を閉鎖し、前記プランジャーの動作時には前記回動部材を介して垂直方向に押圧されることにより前記第２通気孔に対する閉鎖力を高め安全弁として機能し、内部圧力の異常時、前記弾性部材は変形することにより前記回動部材の前記閉鎖力を低める方向への回動を許容する構成。
【発明の効果】
【００１４】
本願発明は、球状の第１弁体を、水平方向に押圧して第１通気孔を開閉し、球状の第２弁体を、水平移動部材並びに回動部材を介して垂直方向に押圧して第２通気孔に対する閉鎖力を高め安全弁として機能させることにより、調圧装置の構造を簡単にし、力の伝達を滑らかにすることができ、結果的に調圧機能を高めることができる。また、部品点数を低減することができ、生産コストを低減することができる。
【００１５】
更に、第２弁体を安全弁として使用することができ、より部品点数並びに生産コストを低減することができる。
【図面の簡単な説明】
【００１６】
【図１】圧力式炊飯器の蓋上部材を取り外した状態の全体断面図（図２のＡ−Ａ線断面図）
【図２】蓋上部材を取り外した状態の蓋体を斜め上方から見た斜視図
【図３】第１圧力調整装置等の各部品の分解斜視図
【図４】第２圧力調整装置の各部品の分解斜視図
【図５】第２圧力調整装置の回動部材ユニットを斜め上方から見た斜視図
【図６】第２圧力調整装置の回動部材ユニットを斜め下方から見た斜視図
【図７】蓋下部材がない状態の第１及び第２圧力調整装置等の各部品の組立斜視図
【図８】第１圧力調整装置の非動作時（ソレノイドオフ時）及び動作時（ソレノイドオン時）の状態、並びに加圧炊飯中に蓋体を開放する際予め蒸気を排出する状態を示す拡大断面図
【図９】第２圧力調整装置の非動作時（ソレノイドオフ時）の状態を示す拡大断面図
【図１０】第２圧力調整装置の動作時（ソレノイドオン時）の状態を示す拡大断面図
【実施例】
【００１７】
図１は蓋上部材を取り外した状態の図２のＡ−Ａ線縦断面図を示し、図２は蓋上部材を取り外した状態の蓋体を斜め上方から見た斜視図を示し、図３は第１圧力調整装置等の各部品の分解斜視図を示し、図４は第２圧力調整装置等の各部品の分解斜視図を示し、図５、６は第２圧力調整装置の一部の部品の組立図を示し、図７は蓋下部材を取り外した状態の第１及び第２圧力調整装置等の組立斜視図を示す。なお、圧力式炊飯器２０のヒンジ軸５８側を後方側とし、ヒンジ軸５８の反対側のロックレバー５０側を前方側とし、前後方向に直交する側を左右方向側とする。
【００１８】
圧力式炊飯器２０の略全体を図１に示す。圧力式炊飯器２０は、炊飯器本体２１及び蓋体４０からなる。炊飯器本体２１は、鋼板ケースまたは合成樹脂製の外ケース２２を有し、この外ケース２２の内部には、金属鍋或いは土鍋等の内鍋２３が着脱自在にセットされ、この内鍋２３の外側には内鍋２３の形状に沿った保護枠である内ケース２４が設けられる。この内ケース２４は、例えばポリエチレンテレフタレート等の耐熱性の合成樹脂製のもので、その底部中央にはサーミスタからなる温度センサ２５を臨ませるためのセンサ挿入孔が設けられる。
【００１９】
内ケース２４の上端は、外ケース２２の上端と肩部材２６を介して一体に結合される。内ケース２４の底部外面及び底部から側部にかけての湾曲部外面には、内鍋２３を誘導加熱する加熱手段である底部ワークコイル２７及び側部ワークコイル２８が設けられる。これら底部ワークコイル２７及び側部ワークコイル２８は、内ケース２４の底部及び湾曲部の各位置に、内ケース２４の底部中央を中心として同心円状に設けられる。
【００２０】
これら底部ワークコイル２７及び側部ワークコイル２８の外側には合成樹脂製のコイル支持台２９が設けられており、このコイル支持台２９をネジ等で内ケース２４に取り付けることにより、底部ワークコイル２７及び側部ワークコイル２８は図示する所定位置に位置決め固定される。
【００２１】
前記外ケース２２の下端部には、底部材３１がビス等で取り付けられ、外ケース２２と底部材３１とで上方に開口を有する容器を形成する。外ケース２２の後方の内部には、肩部材２６から垂下する形態で、制御基板３２が設けられる。
【００２２】
この制御基板３２には、底部ワークコイル２７、側部ワークコイル２８等の加熱手段を制御するためのマイコン及び電源回路等の電気部品が搭載される。それら電気部品のなかには発熱するものがあるため、制御基板３２の近傍には発熱素子等を冷却するための冷却フィン３３と、冷却フィン３３の熱を放熱するための冷却ファン３４が設けられる。なお、制御基板３２の後方側にはコード巻取器３５が設けられる。
【００２３】
蓋体４０は、図示しない外周面を形成する樹脂製の蓋上部材と、蓋下部材４２を有する。蓋下部材４２は、蓋上部材と同様に樹脂製の部材であり、その後方部には、ヒンジ軸５８及びヒンジばね５９が配置される平面視コ字状の切欠４３が設けられる。
【００２４】
また、蓋下部材４２の中央且つ後方よりには円形の蒸気排出筒４４が設けられており、内鍋２３内の蒸気は、この蒸気排出筒４４より蓋上部材に設けられる蒸気通路を経て蓋上部材の上面に設けられる蒸気口より外部に放出される。
【００２５】
蓋下部材４２上には、図２に示すように蓋体４０の強度を高めるための金属製の補強部材４６が設けられる。この補強部材４６は、前方側に位置する第１補強部材４６ａと、後方側に位置する第２補強部材４６ｂからなり、前後方向に延伸する形態で蓋下部材４２にビス止めされる。
【００２６】
なお、第１補強部材４６ａと第２補強部材４６ｂとの分割位置は後方側であり、補強部材４６が一体のものに比べて全体の耐久性を下げてあり、圧力調整装置等が故障する等の異常時に分割位置近傍で変形させ、変形箇所から蒸気を逃がすことにより蓋体４０が急激に開放したり、或いは蒸気が前方側から急激に噴出する等の弊害を防止する。
【００２７】
第１補強部材４６ａの前方端には、ロックレバー５０のレバー軸５７を軸支するための軸受孔４７が設けられ、第２補強部材４６ｂの後方端には、ヒンジ軸５８を軸支するための軸受孔４８が設けられる。
【００２８】
蓋下部材４２の前方側には、蓋開閉部材である金属製のロックレバー５０が設けられる。図３に示すようにロックレバー５０は、水平部５１及び垂直部５２からなる断面Ｌ字状の金属製の部材である。
【００２９】
水平部５１は、第１水平部５１ａ、第２水平部５１ｂ及び第３水平部５１ｃを有し、第１水平部５１ａには、後記第１摺動部材７０が当接する上方に略直角に折れ曲がった折曲部５３が形成され、第２水平部５１ｂには、後記押圧部材５５（図１、２参照）を挿入する円形の挿通口５５ａが形成され、第３水平部５１ｃには、ロックレバー５０を回動するためのレバーばね５７ａ（図８参照）の一端を係止する係止口５６が形成されている。
【００３０】
押圧部材５５は、水平円板及び棒状部からなる断面Ｔ字状の部材であり、コイルばね５５ｂ（図１参照）を棒状部に挿入した状態で第２水平部５１ｂの円形の挿通口５５ａに挿入し、その下端部にナットを螺合して揺動自在に固定しており、斜め上方から力が加わったとしてもロックレバー５０を適正に回動する。
【００３１】
前記垂直部５２は、中央が下方から略トンネル状に切り掛かれており、残りの左右の垂直部分の下端には、後方側に直角に折り曲げられた平面視略矩形状の係止部５２ａが形成される。この係止部５２ａは肩部材２６に形成される係止片２６ａ（図８参照）に係止されることにより、蓋体４０を閉蓋する。
【００３２】
ロックレバー５０には、コイル状のレバーばね５７ａが挿着される棒状のレバー軸５７が嵌合されており、そのレバー軸５７の両端は、第１補強部材４６ａの左右の軸受孔４７、４７に挿入され軸支される。レバー軸５７を軸受孔４７、４７に挿入後、レバーばね５７ａの一端を第３水平部５１ｃの係止口５６に係止し、他端を蓋下部材４２側に係止する。その結果、ロックレバー５０は反時計方向のばね力を付与された状態で図２、３の状態で取付けられる。
【００３３】
そして、蓋上部材の上面に設けられる図示しない押圧ボタンを上方から押したり、或いはスライドレバー等によって押されるとその力は押圧部材５５に伝わり、押圧部材５５が下動されるとロックレバー５０は時計方向に回動され、その結果蓋体４０はヒンジばね５９のばね力により開蓋する。
【００３４】
蓋下部材４２の後方側の切欠４３には、ヒンジ部であるヒンジ軸５８及びヒンジばね５９が設けられる。このヒンジ軸５８の両端は、第２補強部材４６ｂの後方端の軸受孔４８、４８に挿入され軸支される。また、ヒンジ軸５８にはコイル状のヒンジばね５９が挿着されるとともに、ヒンジばね５９の一端部５９ａは第１補強部材４６ａに係止され（図２参照）、他端部５９ｂは肩部材２６に係止されており、蓋体４０に常時開方向のばね力を付与している。
【００３５】
蓋下部材４２の中央部には、下方が開口し、上方に突き出た平面視矩形状の弁カバー６０が設けられる。この弁カバー６０は、第１弁カバー６０ａと第２弁カバー６０ｂからなり、第２弁カバー６０ｂは、高さは低いが平面視の面積は大きい矩形状の部分で、その下方に後記第２弁収納室９５等を収納し、第１弁カバー６０ａは、第２弁カバー６０ｂの略１／４の部分を更に上方に突き出した平面視矩形状の部分で、その下方に後記第１弁収納室９４を収納する。
【００３６】
そして、この第１弁カバー６０ａの前方側には、第１圧力調整装置の一部品である後記第１ソレノイド６８が水平且つ前後方向に配置され、第２弁カバー６０ｂの前方側には、第２圧力調整装置の一部品である後記第２ソレノイド７５が水平且つ前後方向に配置される。その結果、第１ソレノイド６８と第２ソレノイド７５は近接且つ平行に配置される。なお、第１ソレノイド６８及び第２ソレノイド７５は、２ポジションのものが用いられるが、それ以外のものであってもよい。
【００３７】
図２及び図３で示すように蓋下部材４２の弁カバー６０より前方側の上面には、平面視略矩形状で樹脂製の支持部材６３が配設される。この支持部材６３は、その上面に圧力調整装置等を載置する底浅の皿状の部材で、その側壁上端には、左右方向に張り出し、それぞれ１個のビス穴６３ａ１を有するフランジ６３ａが設けられるとともに、その前方端には、ロックレバー５０のレバー軸５７が挿通される軸貫通口６３ｂ（図３参照）が設けられる。そして、支持部材６３は、その軸貫通口６３ｂにレバー軸５７を挿通し、ビスをビス穴６３ａ１から蓋下部材４２に螺合することにより第１補強部材４６ａの上面に取付けられる。
【００３８】
支持部材６３の上面には、後記第１ソレノイド６８を収納するための平面視矩形状の第１ソレノイド収納室６４、後記第１摺動部材７０の一部を収納するための平面視細長矩形状の第１摺動部材収納室６５、後記第２ソレノイド７５を収納するための平面視矩形状の第２ソレノイド収納室６６、及び後記第２摺動部材７７を収納するための平面視Ｌ字状の第２摺動部材収納室６７が設けられる。
【００３９】
前記支持部材６３上の第１ソレノイド収納室６４には、第１ソレノイド６８が水平且つ前後方向に収納される。第１ソレノイド６８の側壁面の上端及び下端には、それぞれ左右方向に張り出した平面視矩形状で、その中央部にビス穴６８ｂを有する取付フランジ６８ａが設けられており、このビス穴６８ｂからビスを螺合することにより第１ソレノイド６８を蓋下部材４２に固定する。
【００４０】
また、第１ソレノイド６８には、第１ソレノイド６８のオン、オフにより進退する第１プランジャ６９が設けられる。
【００４１】
この第１プランジャ６９の先端は、高さの高い第１弁カバー６０ａに対向する形態で前後方向に設けられるとともに、その先端には、正面視Ｃ字状のばね支持具６９ａが取り付けられ、更に第１プランジャ６９の外周に挿入される形態で第１ソレノイド６８とばね支持具６９ａとの間にコイルばね６９ｂが挿設されており、第１プランジャ６９は、第１ソレノイド６８のオフ時には第１ソレノイド６８から後方側に引き出されている。
【００４２】
図３に示すように摺動部である第１摺動部材７０は、前後方向長伸部７１、左右方向短伸部７３及び前後方向短伸部７２を有する平面視略釣り針状で一体形成される樹脂製部材であり、平面視矩形状の第１ソレノイド収納室６４に沿って前後方向に移動可能に配設される。
【００４３】
前後方向長伸部７１は、前後方向に長く延伸する平面視細長矩形状の部分で、その前方端の上面には、上方に突き出るとともに、前方から後方に向かって上方に傾斜する正面視矩形状の傾斜突部７１ａが一体に設けられるとともに、その下面には、前方側垂下部７１ｂ及び後方側垂下部７１ｃが間を空けて平行に設けられている。
【００４４】
前後方向長伸部７１の前方側垂下部７１ｂより後方側は、支持部材６３上の第１摺動部材収納室６５に収納されるとともに、後方側垂下部７１ｃの後方壁面と、第１摺動部材収納室６５の内端壁面６５ａ（図３参照）との間には、コイルばね７４が介在され、第１摺動部材７０を常時前方側に付勢している。
【００４５】
前後方向短伸部７２は、前後方向に短く延伸する平面視矩形状の部分で、第１ソレノイド収納室６４の外壁部に沿う形態で前後方向に移動する。
【００４６】
左右方向短伸部７３は、前後方向長伸部７１と前後方向短伸部７２を連結する部分で、その略中央部には、前方と上方が開口した半円弧状の半円弧空間７３ａ（図３参照）が一体に形成され、その後方側の側壁面には、後方側に突き出た棒状の弁押圧突起７３ｂが一体に形成される。
【００４７】
そして、半円弧空間７３ａには、第１プランジャ６９のばね支持具６９ａが収納配置され、第１ソレノイド６８のオフ時には、ばね支持具６９ａはコイルばね６９ｂのばね力により第１摺動部材７０全体を後方側に押している。
【００４８】
なお、第１ソレノイド６８のオン時には、第１プランジャ６９は、ばね支持具６９ａとともに前方側に引き込まれるが、ばね支持具６９ａと半円弧空間７３ａとは連結されていないため、第１摺動部材７０は前方側に移動しない。しかしこの場合、第１摺動部材７０と支持部材６３との間には前記コイルばね７４が介在しているため、第１摺動部材７０は、コイルばね７４のばね力により第１プランジャ６９の前方側への移動と同時に前方側に移動する。
【００４９】
前記弁押圧突起７３ｂは、後記の第１球状弁９９に対向するように配置されており、第１ソレノイド６８のオフ時にはその第１球状弁９９を押して、後記第１通気孔９７を開放し、第１ソレノイド６８のオン時にはその第１球状弁９９から離れる。その結果、第１球状弁９９は自重で第１通気孔９７の真上に移動して、その第１通気孔９７を閉鎖する。
【００５０】
前記支持部材６３上の第２ソレノイド収納室６６には、第２ソレノイド７５が水平且つ前後方向に収納される。第２ソレノイド７５の側壁面の上端及び下端には、第１ソレノイド６８と同様の形態でそれぞれ左右方向に張り出した平面視矩形状で、その中央部にビス穴７５ｂを有する取付フランジ７５ａが設けられており（図４に図２の右方側から見たものを示す。）、このビス穴７５ｂからビスを螺合することにより第２ソレノイド７５を蓋下部材４２に固定する。
【００５１】
また、第２ソレノイド７５には、第２ソレノイド７５のオン、オフにより進退する水平移動部材である第２プランジャ７６が設けられる。
【００５２】
この第２プランジャ７６の先端は、高さの低い第２弁カバー６０ｂに対向する形態で前後方向に設けられるとともに、その先端には、正面視Ｃ字状のばね支持具７６ａが取り付けられ、更に第２プランジャ７６の外周に挿入される形態で第２ソレノイド７５とばね支持具７６ａとの間にコイルばね７６ｂが挿設されており、第２プランジャ７６は、第２ソレノイド７５のオフ時には第２ソレノイド７５から後方側に引き出されている。
【００５３】
図４に示すように摺動部である第２摺動部材７７は、左右方向延伸部７８及び前後方向延伸部７９を有する平面視Ｌ字状で一体形成される樹脂製部材であり、前記平面視Ｌ字状の第２摺動部材収納室６７に前後方向に移動可能に配設される。
【００５４】
前後方向延伸部７９は、前後方向に延伸する平面視矩形状の部分で、第２ソレノイド収納室６６の外壁部に沿う形態で前後方向に移動する。
【００５５】
左右方向延伸部７８は、前後方向延伸部７９に直交して連結される部分で、その略中央部には、前方の一部と上方が開口した半円弧状の半円弧溝空間７８ａ（図４参照）が一体に形成され、その後方壁面７８ｂの下端には、後方側に突き出た筒状突起８０が左右方向に離れて２個形成される。
【００５６】
そして、半円弧溝空間７８ａには、第２プランジャ７６のばね支持具７６ａが収納配置され、第２ソレノイド７５のオフ時には、ばね支持具７６ａはコイルばね７６ｂのばね力により第２摺動部材７７全体を後方側に押している。
【００５７】
第２ソレノイド７５のオン時には、第２プランジャ７６は、ばね支持具７６ａとともに前方側に引き込まれるが、ばね支持具７６ａと半円弧溝空間７８ａとは係合されているため、第２摺動部材７７も同時に前方側に移動される。
【００５８】
前記２個の筒状突起８０のそれぞれの内側上端にはばね溝８０ａが設けられ、そのばね溝８０ａには、後記回動部材８７に係合されるステンレス製で棒状のばね棒８１が嵌合される。
【００５９】
前記第２摺動部材７７の後方側には、後方壁面７８ｂに対向する形態で回動部材ユニット８５が設けられる。回動部材ユニット８５は、収納ケーシング８６、回動部材８７、連動部材８８及びばね８９を有し、図５に上方からの斜視図を示し、図６に下方からの斜視図を示す（なお、図４と図５とは向きが左右逆である。）。
【００６０】
前記収納ケーシング８６は、平面視前方後円状の樹脂部材であり、その前方側の方形状の部分は、上方が開口し、その両側壁には対向する形態で回動部材８７の回動軸８７ｃが軸支される軸受溝８６ａが形成される。
【００６１】
また、その後方側の円形状の部分は、上下方向に開放されており、その上方には、左右方向に指し渡される断面門形状の屋根部８６ｂが形成されるとともに、その両側面には対向する形態で連動部材８８が上下方向に摺動するための摺動溝８６ｃが形成される。
【００６２】
更に収納ケーシング８６の側壁面には、対向する形態でビス穴８６ｄ１を有する取付フランジ８６ｄが２個設けられており、このビス穴８６ｄ１からビスを螺合することにより収納ケーシング８６を蓋下部材４２に固定する。
【００６３】
前記回動部材８７は、前方側平板部８７ａ及び後方側平板部８７ｂからなる平面視前後方向に細長い矩形状の樹脂部材であり、後方側平板部８７ｂは前方側平板部８７ａより若干長くされるとともに、両平板部を境に略直角に折り曲げられた断面く形状を呈し、前方側平板部８７ａは略下方に垂下する形態で、後方側平板部８７ｂは略水平になる形態で取付けられる。この回動部材８７はシーソー構造で水平方向の力を垂直方向に変換する機能を有するものである。
【００６４】
後方側平板部８７ｂの先端部８７ｂ１は、一段下がった形態に形成されており、前記連動部材８８が挿入される。また、後方側平板部８７ｂの根本近傍には、左右方向に張り出す形態で回動軸８７ｃが一体に設けられている。そして、後方側平板部８７ｂの先端部８７ｂ１は、収納ケーシング８６の屋根部８６ｂの下方に挿入される連動部材８８に挿着されるとともに、回動軸８７ｃは、収納ケーシング８６の軸受溝８６ａに嵌合され軸支される。
【００６５】
前記連動部材８８は、枠体８８ａ及び弁押圧突起８８ｂを有する樹脂製の部材であり、枠体８８ａは、中央にロ形状の貫通口８８ａ１を有する正面視ロ形状の部分で、その貫通口８８ａ１内には回動部材８７の先端部８７ｂ１が挿入される。枠体８８ａの幅は収納ケーシング８６の摺動溝８６ｃより若干短くされており、この摺動溝８６ｃ内にその全体が嵌入される。
【００６６】
また、前記弁押圧突起８８ｂは、枠体８８ａの下端部から垂下する形態で一体に設けられており、枠体８８ａが収納ケーシング８６の摺動溝８６ｃ内に挿入されると、図６に示すように収納ケーシング８６から下方に突き出る形態になる。
【００６７】
前記ばね８９は、図４に示すように中央に円形部８９ａ、一端にコ状部８９ｂ及び他端にＬ状部８９ｃを有するコイルばねで、図５に示すように円形部８９ａを回動部材８７の回動軸８７ｃに挿入し、コ状部８９ｂを回動部材８７の後方側平板部８７ｂの上面に係止し、Ｌ状部８９ｃを収納ケーシング８６の前方壁８５ａに係止する。その結果、ばね８９は巻き戻し方向の変位を加えられて装着され、回動部材８７は収納ケーシング８６に対し時計方向の回転を付与される。即ち、前記弁押圧突起８８ｂは、最も下方位置に常時押圧される。この場合、回動部材８７の下動は収納ケーシング８６の後方側円形状の上端部で規制され、回動部材８７の上動は収納ケーシング８６の屋根部８６ｂの下端部で規制される。
【００６８】
回動部材ユニット８５の取付けについて説明する。まず、収納ケーシング８６を逆向きに置き、収納ケーシング８６の摺動溝８６ｃ内に、連動部材８８をその弁押圧突起８８ｂが上になるようにして挿入する。
【００６９】
次いで、回動部材ユニット８５を正立させ、連動部材８８を指で上動させつつ回動部材８７の先端部８７ｂ１を屋根部８６ｂの下方に押し込み、先端部８７ｂ１を連動部材８８の貫通口８８ａ１内に挿入する。その場合、回動部材８７の回動軸８７ｃにばね８９の円形部８９ａを挿入し、コ状部８９ｂを後方側平板部８７ｂの上面に係止しておく。
【００７０】
次いで、回動部材８７の回動軸８７ｃを収納ケーシング８６の軸受溝８６ａ（図５参照）内に嵌合する。その結果、図５及び図６に示す回動部材ユニット８５が完成する。組み立てられた回動部材ユニット８５は、収納ケーシング８６の側壁面に形成される２個の取付フランジ８６ｄのビス穴８６ｄ１からビスを螺合することにより図２に示すように第２弁カバー６０ｂ上に固定される。
【００７１】
回動部材ユニット８５が第２弁カバー６０ｂ上に固定されると、回動部材８７の前方側平板部８７ａは、第２摺動部材７７の後方壁面７８ｂとばね棒８１の間に挿入されるとともに、図９に示すように第２ソレノイド７５のオフ時には第２プランジャ７６は後方側に突き出て第２摺動部材７７の後方壁面７８ｂを介して回動部材８７の前方側平板部８７ａを後方側に押し、回動部材８７を反時計方向に回動する。その結果、弁押圧突起８８ｂは後記第２球状弁１０２から上方に引き離される。なお、前記ばね棒８１は、一種の弾性部材であり回動部材８７に第２ソレノイド７５側、或いは弁押圧突起８８ｂ側から急激な力が作用するとその力を吸収し、和らげることができる。また、ばね８９は、コイルばね７６ｂより弱く設定される。
【００７２】
そして、図１０に示すように第２ソレノイド７５のオン時には第２プランジャ７６は前方側に引き込まれて第２摺動部材７７を前方側に移動する。すると、回動部材８７の前方側平板部８７ａは、ばね棒８１により前方側に押されるとともに、回動部材８７の全体はばね８９により時計方向のばね力を付与されているため、時計方向に回動し、弁押圧突起８８ｂは後記第２球状弁１０２を上方から押圧し、この第２球状弁１０２が開放する力をより高める。
【００７３】
蓋下部材４２の中央部に設けられる高さの高い第１弁カバー６０ａの前方側側面には図示しない円形の開口が設けられるとともに、その開口には、周囲に嵌合溝６２ａを有し、その内部に円形状のシール膜６２ｂを有する全体として円形状のパッキン６２（図３参照）が嵌合されており、第１弁カバー６０ａの内外をシールしている。このパッキン６２の円形状のシール膜６２ｂの中心には、第１摺動部材７０の弁押圧突起７３ｂが嵌合しており、この円形状のシール膜６２ｂは弁押圧突起７３ｂとともに前後方向に移動する。
【００７４】
蓋下部材４２の中央部に設けられる高さの低い第２弁カバー６０ｂの上面には円形の開口６０ｂ１（図９参照）が設けられるとともに、その開口６０ｂ１には、周囲に嵌合溝９０ａを有し、その内部に円形状のシール膜９０ｂを有する全体として円形状のパッキン９０（図４参照）が嵌合されており、第２弁カバー６０ｂの内外をシールしている。このパッキン９０の円形状のシール膜９０ｂの中心には、枠体８８ａの下端に設けられる弁押圧突起８８ｂが嵌合しており、この円形状のシール膜９０ｂは弁押圧突起８８ｂとともに上下方向に移動する。
【００７５】
前記蓋体４０の下方には、内鍋２３に対向して内蓋９１が着脱自在に取付けられる。そして、この内蓋９１の上面には、弁ユニット９２が前記弁カバー６０の下方に位置する形態で取付けられる。そして、内蓋９１を蓋下部材４２の下面に取り付けると、弁ユニット９２の上面と第１弁カバー６０ａの下面との間に蒸気室９３（図１参照）が形成される。
【００７６】
弁ユニット９２には、第１弁収納室９４、第２弁収納室９５及び必要に応じて安全弁９６が設けられる。
【００７７】
第１弁収納室９４は、前後方向に開口９４ａを有する断面逆Ｕ字状の部分で、その内部には、中央に第１通気孔９７を有するすり鉢状の第１弁載置部９８（図１、３参照）が設けられるとともに、その上方には弁体である第１球状弁９９が配設される。
【００７８】
前記第１通気孔９７は、内鍋２３内に連通しており、第１球状弁９９が第１通気孔９７を開放すると内鍋２３内の蒸気は、蒸気室９３に流入し、その後、蒸気排出筒４４及び蓋上部材に設けられる蒸気通路を経て蓋上部材の上面に設けられる蒸気口より外部に放出される。
【００７９】
そして、内蓋９１が蓋下部材４２の下面に挿着されると、第１弁収納室９４は蓋下部材４２の下面から上方に突き出す形態で形成される第１弁カバー６０ａ内に進入するとともに、第１球状弁９９は弁押圧突起７３ｂに対向して位置する。
【００８０】
前記第２弁収納室９５は、上方向に開口９５ａを有する断面逆Ｕ字状の部分で、その内部には、中央に第２通気孔１００を有するすり鉢状の第２弁載置部１０１（図３参照）が設けられるとともに、その上方には弁体である第２球状弁１０２が配設される。なお、第２弁収納室９５、第２弁載置部１０１及び第２球状弁１０２は、第１弁収納室９４、第１弁載置部９８及び第１球状弁９９より小さく軽いものが用いられる。
【００８１】
前記第２通気孔１００も内鍋２３内に連通しており、第２球状弁１０２が第２通気孔１００を開放すると内鍋２３内の蒸気は、同様に蒸気室９３に流入し、その後、蒸気排出筒４４及び蓋上部材に設けられる蒸気通路を経て蓋上部材の上面に設けられる蒸気口より外部に放出される。
【００８２】
そして、内蓋９１が蓋下部材４２の下面に挿着されると、第２弁収納室９５は蓋下部材４２の下面から上方に突き出す形態で形成される第２弁カバー６０ｂ内に進入するとともに、第２球状弁１０２は弁押圧突起８８ｂに対向して位置する。
【００８３】
第１圧力調整装置は、前記第１ソレノイド６８、第１プランジャ６９、第１摺動部材７０及び第１球状弁９９を有し、加圧炊飯が選択されない第１ソレノイド６８の非作動（オフ）時には、第１プランジャ６９は外方に押し出され、第１球状弁９９を押して第１通気孔９７を開放する（後記の非加圧炊飯）。
【００８４】
そして、加圧炊飯が選択される第１ソレノイド６８の作動（オン）時には、第１プランジャ６９は引き込まれ、弁押圧突起７３ｂは第１球状弁９９から離れるため、第１球状弁９９は自重で第１通気孔９７の直上に移動して第１通気孔９７を閉鎖する。
【００８５】
その結果、第１球状弁９９の自重に相当する圧力での炊飯が行われ、内鍋２３内がそれ以上の圧力になると余分な蒸気は第１球状弁９９を押し上げて第１通気孔９７より排出される（後記の高加圧炊飯）。なお、重い重量の第１球状弁９９の開放圧は、例えば、１．２５ａｔｍに設定されており、蒸気圧がその圧力になると持ち上げられ、第１通気孔９７を開放する。
【００８６】
第２圧力調整装置は、前記第２ソレノイド７５、第２プランジャ７６、第２摺動部材７７、回動部材８７及び第２球状弁１０２を有し、加圧炊飯が選択されない第２ソレノイド７５の非作動（オフ）時には、第２プランジャ７６は外方に押し出され、回動部材８７は反時計方向に回動され、弁押圧突起８８ｂは第２球状弁１０２の上方に位置する。
【００８７】
その結果、第２通気孔１００は第２球状弁１０２の自重で閉鎖される（後記の非加圧炊飯或いは低加圧炊飯）。なお、軽い重量の第２球状弁１０２の開放圧は、例えば、１．０５ａｔｍに設定されており、蒸気圧がその圧力になると持ち上げられ、第２通気孔１００を開放する。
【００８８】
そして、加圧炊飯が選択されると第２ソレノイド７５は作動（オン）され、第２プランジャ７６は引き込まれ、回動部材８７は時計方向に回動され、弁押圧突起８８ｂは第２球状弁１０２を上方から押圧する。
【００８９】
その結果、第２通気孔１００は第２球状弁１０２の自重及び上方からの押圧力で閉鎖される。なお、押圧される第２球状弁１０２の開放圧は、例えば、１．２５ａｔｍより大きく設定されており、蒸気圧がその圧力になると持ち上げられ、第１通気孔９７を開放する。
【００９０】
この場合、押圧状態の第２球状弁１０２が開放する時は、例えば、第１球状弁９９が閉鎖されたままの異常であり、安全弁として機能するように設定されている。
【００９１】
前記安全弁９６は押圧された第２球状弁１０２の開放圧より高い圧力、例えば、１．３０ａｔｍ以上の圧力で開放するようにされるもので、第１球状弁９９及び第２球状弁１０２が開かない等の更なる異常時に開放される。
【００９２】
蓋体４０の前方側には、図示しない液晶パネル及び各種スイッチボタンが設けられており、そのメニューには、通常炊飯（非加圧炊飯）、低加圧炊飯及び高加圧炊飯が設定されており、非加圧炊飯を選択すると、第１ソレノイド６８がオフ（第１通気孔９７は開）で第２ソレノイド７５がオフ（第２通気孔１００は第２球状弁１０２の自重で閉）での炊飯が行われ、低加圧炊飯を選択すると、第１ソレノイド６８がオン（第１通気孔９７は閉）で第２ソレノイド７５がオフ（第２通気孔１００は第２球状弁１０２の自重で閉）での炊飯が行われ、高加圧炊飯を選択すると、第１ソレノイド６８がオン（第１通気孔９７は閉）で第２ソレノイド７５がオン（第２通気孔１００は第２球状弁１０２の自重及び上方からの押圧力で閉）での炊飯が行われる。
【００９３】
高加圧炊飯時に、内鍋２３内の圧力が１．２５ａｔｍになると第１球状弁９９は第１通気孔９７を開放して内鍋２３内の圧力が１．２５ａｔｍ以上にならないようにしている。仮に、その圧力で、第１球状弁９９が第１通気孔９７を開放しなくなり（即ち、異常時）、内鍋２３内の圧力が１．３０ａｔｍ以上になると、押圧状態にある第２球状弁１０２が押し上げられ第２通気孔１００が開放されることになる。
【００９４】
その炊飯は、制御基板３２等に設けられる制御回路により底部ワークコイル２７及び側部ワークコイル２８等への通電量を制御することにより行われる。
【００９５】
非加圧炊飯時について説明する。非加圧炊飯を選択すると、第１ソレノイド６８及び第２ソレノイド７５はオフされる。第１ソレノイド６８がオフされると、第１プランジャ６９は第１摺動部材７０と共に後方側に押され、第１摺動部材７０の弁押圧突起７３ｂは、第１球状弁９９水平方向にを押して、第１通気孔９７を開放する。
【００９６】
そして、第２ソレノイド７５がオフされると、第２プランジャ７６は回動部材８７を押して反時計方向に回動し、連動部材８８の弁押圧突起８８ｂを第２球状弁１０２から上方に引き離し、第２通気孔１００を閉鎖する力を第２球状弁１０２の自重のみにする。その結果、内鍋２３内は第１通気孔９７を介して常時大気に連通される。
【００９７】
低加圧炊飯時について説明する。低加圧炊飯を選択すると、第１ソレノイド６８はオンで第２ソレノイド７５はオフされる。第１ソレノイド６８がオンされると、第１プランジャ６９は第１摺動部材７０と共に前方側に引き込まれ、第１摺動部材７０の弁押圧突起７３ｂは、第１球状弁９９から離れ、第１通気孔９７は第１球状弁９９により閉鎖される。
【００９８】
そして、第２ソレノイド７５がオフされると、第２プランジャ７６は回動部材８７を押して反時計方向に回動し、連動部材８８の弁押圧突起８８ｂを第２球状弁１０２から上方に引き離し、第２通気孔１００を閉鎖する力を第２球状弁１０２の自重のみにする。
【００９９】
その結果、内鍋２３内の圧力が１．０５ａｔｍ以上になると第２球状弁１０２は持ち上げられ、第２通気孔１００を開放して余分な蒸気を排出し、内鍋２３内を１．０５ａｔｍ近傍の圧力に調圧する。
【０１００】
高加圧炊飯時について説明する。高加圧炊飯を選択すると、第１ソレノイド６８及び第２ソレノイド７５はオンされる。第１ソレノイド６８がオンされると、第１プランジャ６９は第１摺動部材７０と共に前方側に引き込まれ、第１摺動部材７０の弁押圧突起７３ｂは、第１球状弁９９から離れ、第１通気孔９７は第１球状弁９９により閉鎖される。
【０１０１】
そして、第２ソレノイド７５がオンされると、第２プランジャ７６は第２摺動部材７７と共に前方側に引き込まれ、回動部材８７は、ばね棒８１及びばね８９の作用により時計方向に回動され、弁押圧突起８８ｂが第２球状弁１０２を上方から押圧する。
【０１０２】
その結果、内鍋２３内の圧力が１．２５ａｔｍ以上になると第１球状弁９９は持ち上げられ、第１通気孔９７を開放して余分な蒸気を排出し、内鍋２３内を１．２５ａｔｍ近傍の圧力に調圧する。このように第１圧力調整装置及び第２圧力調整装置をそれぞれ別々で動作形態を異ならせることにより多段階の圧力調整が行われる。
【０１０３】
なお、第１球状弁９９が第１通気孔９７を開放しない状態が生じ、内鍋２３内の圧力が１．３０ａｔｍ以上になる異常時には、押圧状態にある第２球状弁１０２が押し上げられ第２通気孔１００が開放される。この場合、第２ソレノイド７５はオン状態で、第２プランジャ７６及び第２摺動部材７７は共に前方側に引き込まれているが、回動部材８７はばね棒８１を介して係合されており、第２球状弁１０２の下方に１．３０ａｔｍ以上の圧力が掛かると、回動部材８７はばね棒８１を後方側に押し伸ばすことにより反時計方向に回動することができ、その結果、第２球状弁１０２は弁押圧突起８８ｂと共に上方に押し上げられ第２通気孔１００を開放することになる。
【０１０４】
また、第１球状弁９９が第１通気孔９７を開放しなく、第２球状弁１０２が第２通気孔１００を開放しない更に異常な状態が生じた場合、安全弁９６を設けることにより、このような異常を回避することができる。いずれにしても、押圧状態にある第２球状弁１０２を安全弁として機能させることにより、更には安全弁９６を第２の安全弁として機能させることにより圧力式炊飯器の安全性をより確実に担保することができるようになる。
【０１０５】
図８に第１圧力調整装置である第１ソレノイド６８のオンオフ時の第１球状弁９９と第１通気孔９７との関係、並びに第１摺動部材７０の他の作用、即ち加圧炊飯中に蓋体４０を開放すると蓋体４０の開蓋前に蒸気が排出される作用について説明する。
【０１０６】
図（Ａ）は、加圧炊飯を行っていないロック状態時である。この状態では、第１ソレノイド６８はオフ状態にあり、第１プランジャ６９及び第１摺動部材７０は後方側に押し出されており、弁押圧突起７３ｂは第１球状弁９９を押して第１通気孔９７を開放している。なお、コイルばね７４は、コイルばね６９ｂより弱く設定される。
【０１０７】
図（Ｂ）は、加圧炊飯中のロック状態時である。この状態では、第１ソレノイド６８はオン状態にあり、第１プランジャ６９及び第１摺動部材７０は前方側に引き込まれており、弁押圧突起７３ｂは第１球状弁９９から離れ、その結果第１通気孔９７は閉鎖される。
【０１０８】
図（Ｃ）〜（Ｅ）は、加圧炊飯中の開蓋動作を順に示すものである。図（Ｃ）に示すように、ロックレバー５０が開放方向である時計方向に回動されていくと、ロックレバー５０の折曲部５３が傾斜突部７１ａに当接する。更にロックレバー５０が開放方向に回動されるとロックレバー５０の折曲部５３が傾斜突部７１ａを後方側に押圧する。すると、第１摺動部材７０はコイルばね７４に抗して後方側に押され、第１摺動部材７０の弁押圧突起７３ｂは第１球状弁９９を押して図（Ｄ）の状態になる。この場合、第１ソレノイド６８はオン状態であるため第１プランジャ６９は前方側に引き込まれたままである。
【０１０９】
図（Ｄ）の状態になると、内鍋２３の蒸気は排出されることになる。そのため、図（Ｅ）のように蓋体４０が開放されたとしても、内部の高圧の蒸気は既に噴出されているため蓋体４０の開放時に蒸気が噴き出すことがなくなる。このように第１摺動部材７０を加圧炊飯中の開蓋動作途中に蒸気を排出するための手段として利用することにより、圧力式炊飯器の利便性をより高めることができる。
【０１１０】
そして、本願発明の第２圧力調整装置は、第２摺動部材７７、ばね棒８１、回動部材８７及び連動部材８８の４部材であり、上記従来のものより部品点数を少なくすることができるとともに、回動部材８７を用いているため力を滑らかに伝達することができるようになり、結果的に圧力式炊飯器の利便性を高めることができる。また、特に安全弁を設ける必要がないため、部品点数をより低減することができる。
【０１１１】
本発明は、前記実施例の構成に限定されるものではなく、発明の要旨を逸脱しない範囲において適宜設計変更可能であり、例えば、加熱手段はヒータでもよく、内鍋も金属製等、どのような材質のものでもよく、第１球状弁９９及び第２球状弁１０２の設定圧も上記した値以外であってもよい。
【符号の説明】
【０１１２】
２０…圧力式炊飯器                ２１…炊飯器本体
２２…外ケース                    ２３…内鍋
２４…内ケース                    ２５…温度センサ
２６…肩部材                      ２６ａ…係止片
２７…底部ワークコイル            ２８…側部ワークコイル
２９…コイル支持台                ３１…底部材
３２…制御基板                    ３３…冷却フィン
３４…冷却ファン                  ３５…コード巻取器
４０…蓋体                        ４２…蓋下部材
４３…切欠                        ４４…蒸気排出筒
４６…補強部材                    ４６ａ…第１補強部材
４６ｂ…第２補強部材              ４７，４８…軸受孔
５０…ロックレバー                ５１…水平部
５１ａ…第１水平部                ５１ｂ…第２水平部
５１ｃ…第３水平部                ５２…垂直部
５２ａ…係止部                    ５３…折曲部
５５…押圧部材                    ５５ａ…挿通口
５６…係止口                      ５７…レバー軸
５７ａ…レバーばね                ５８…ヒンジ軸
５９…ヒンジばね                  ６０…弁カバー
６０ａ…第１弁カバー              ６０ｂ…第２弁カバー
６２…パッキン                    ６３…支持部材
６３ａ…フランジ                  ６４…第１ソレノイド収納室
６５…第１摺動部材収納室          ６５ａ…内端壁面
６６…第２ソレノイド収納室        ６７…第２摺動部材収納室
６８…第１ソレノイド              ６９…第１プランジャ
６９ａ…ばね支持具                ７０…第１摺動部材
７１…前後方向長伸部              ７１ａ…傾斜突部
７１ｂ…前方側垂下部              ７１ｃ…後方側垂下部
７２…前後方向短伸部              ７３…左右方向短伸部
７３ａ…半円弧空間                ７３ｂ…弁押圧突起
７４…コイルばね                  ７５…第２ソレノイド
７６…第２プランジャ              ７６ａ…ばね支持具
７７…第２摺動部材                ７８…左右方向延伸部
７８ａ…半円弧溝空間              ７８ｂ…後方壁面
７９…前後方向延伸部              ８０…筒状突起
８０ａ…ばね溝                    ８１…ばね棒
８５…回動部材ユニット            ８６…収納ケーシング
８６ａ…軸受溝                    ８６ｂ…屋根部
８６ｃ…摺動溝                    ８６ｄ…取付フランジ
８７…回動部材                    ８７ａ…前方側平板部
８７ｂ…後方側平板部              ８７ｂ１…先端部
８７ｃ…回動軸                    ８８…連動部材
８８ａ…枠体                      ８８ａ１…貫通口
８８ｂ…弁押圧部材                ８９…ばね
９０…パッキン                    ９１…内蓋
９２…弁ユニット                  ９３…蒸気室
９４…第１弁収納室                ９５…第２弁収納室
９６…安全弁                      ９７…第１通気孔
９８…第１弁載置部                ９９…第１球状弁
１００…第２通気孔                １０１…第２弁載置部
１０２…第２球状弁
【図１】
0005752491.tif 000002
【図２】
0005752491.tif 000003
【図３】
0005752491.tif 000004
【図４】
0005752491.tif 000005
【図５】
0005752491.tif 000006
【図６】
0005752491.tif 000007
【図７】
0005752491.tif 000008
【図８】
0005752491.tif 000009
【図９】
0005752491.tif 000010
【図１０】
0005752491.tif 000011